(57)【要約】      （修正有）【課題】紙幣を計数と同時に殺菌、消毒処理するための計数紙幣の消毒装置の提供。【解決手段】紙幣投入部１２０と、紙幣枚数感知部および紙幣吐出部１４０を有する計数器１００と、一方の側に開放口が形成され、内部に計数器１００が収容されるように収容空間２１０が形成された胴体２００と、前記収容空間２１０の底面に提供されて前後進して前記開放口を出入し、上面に計数器１００が載置されるトレイ３００と、前記収容空間２１０の壁面に配設され、紙幣に向かって殺菌機能を有するクラスト陰イオンを噴射するイオン発生器と、上端が前記開放口の上側の胴体に弾持力をもって回転自在に係合される巻取リールに固定されて巻き付けられ、繰り出されるときに前記開放口を遮断する扉５００と、を備えることを特徴とする計数器収納型紙幣消毒器。【選択図】図２
2016002458.tif 000002
【特許請求の範囲】
【請求項１】
紙幣投入部（１２０）と、紙幣枚数感知部および紙幣吐出部（１４０）を有する計数器（１００）と、
一方の側に開放口が形成され、内部に前記開放口に投入された前記計数器（１００）が収容されるように収容空間（２１０）が形成された胴体（２００）と、
前記収容空間（２１０）の壁面に配設され、紙幣に向かって殺菌機能を有するクラスト陰イオンを噴射して紙幣を消毒するイオン発生器（４００）と、を備えることを特徴とする、
計数器収納型紙幣消毒器。
【請求項２】
前記イオン発生器（４００）が、前記胴体（２００）に配備されてクラスト陰イオンを生成するイオン生成部（４２０）と、前記イオン生成部（４２０）において生成されたクラスト陰イオンを前記収容空間（２１０）に噴射するイオン噴射部（４４０）と、を備え、前記胴体（２００）に配備されて複数の関節バーが互いに連結されて関節運動をしながら展開されたり折り畳まれたりする関節部（４６０）と、前記関節部（４６０）の先端に配備され、入口から出口に進むにつれて幅が狭くなりながら次第に広くなる拡開状を呈し、前記関節部（４６０）の展開時に前記計数器（１００）の紙幣吐出部（１４０）に位置する拡散噴射口（４７０）と、一方の端が前記イオン生成部（４２０）に連結され、他方の端が前記拡散噴射口（４７０）に連結されて前記イオン生成部（４２０）において生成されたクラスト陰イオンを前記拡散噴射口（４７０）に伝えて紙幣を消毒するチューブ（４８０）と、をさらに備えることを特徴とする請求項１に記載の計数器収納型紙幣消毒器。
【請求項３】
前記収容空間（２１０）の内壁にカメラ（７００）が配備され、前記胴体（２００）の外側に前記カメラ（７００）の撮影映像をリアルタイムにて表示するデジタル表示部（７２０）が配備されることを特徴とする請求項１に記載の計数器収納型紙幣消毒器。
【請求項４】
前記収容空間（２１０）の底面に設けたレール（３２０）によって前後進して前記開放口を出入し、上面に計数器（１００）が載置されるトレイ（３００）と、上端が前記開放口の上側の胴体に弾持力をもって回転自在に係合される巻取リール（５２０）に固定されて巻き付けられ、繰り出されるときに前記開放口を遮断する扉（５００）と、前記胴体（２００）の開放口の下側の正面に配設され、前記扉（５００）を固定する扉施錠具（６００）と、をさらに備えることを特徴とする請求項１に記載の計数器収納型紙幣消毒器。
【発明の詳細な説明】
【技術分野】
【０００１】
本発明は、紙幣消毒器に係り、さらに詳しくは、紙幣の消毒に際して紙幣を計数する計数器の全体を内部に配設した後にクラスト陰イオンを用いて消毒して紙幣の汚染源を除去する計数器収納型紙幣消毒器に関する。
【背景技術】
【０００２】
通常、貨幣は、経済構造の根幹をなす最も基本的な価値手段であり、昔から紙幣および硬貨として広く流通されている。
【０００３】
紙幣の場合、数多くの流通経路を経るため、硬貨とは異なり、容易に各種の細菌および塵埃などの汚染物質によって汚染されて紙幣を利用するユーザーに細菌を伝染させる原因となる。
【０００４】
また、紙幣は、ある一つの場所に長時間保管される場合はあまりなく、大勢の人々の手を経て流通され、その過程で各種の細菌や各種の病原性微生物に汚染されて各種の皮膚疾患および呼吸器疾患はもとより、アレルギー性疾患などを引き起こしたり伝染させたりする媒介体としての役割を果たす。これにより、免疫性の弱い老人や子供が疾病の被害を蒙り、且つ、銀行などで紙幣を取り扱う担当者が被害を蒙ってしまうという問題がある。
【０００５】
一方、銀行などの金融機関では、多量の紙幣の枚数を速やかに計数して処理することを余儀なくされるため紙幣計数器を使用している。このような紙幣計数器は、紙幣の数を計数するものであり、上記のように、紙幣に付着している各種の細菌および塵埃などの汚染物質を殺菌することができないという問題がある。
【０００６】
前記紙幣計数器は、計数方法に応じて様々な種類があり、これは、収納台に載せられた紙幣をばらばらに移動させ、センサーを用いて移動中の紙幣の枚数を測定する。
【０００７】
このようにして測定された紙幣は再び市中に出回り、この過程で様々な環境、すなわち、大勢の人々の手、を経ながら各種の汚染源に露出され、汚染されて紙幣の表面には常に各種の細菌が繁殖する。このようにして汚染された紙幣は他人の手に移る過程で大勢の人々に細菌を伝染させる要因となる。
【０００８】
これを解決するために、紙幣を消毒する技術が提案されている。
【０００９】
例えば、「紙幣消毒装置」が提案されている（下記の特許文献１参照）。
【００１０】
これは、紙幣を計数するとともに殺菌するように紙幣を載せる棚状の紙幣据置台と、前記紙幣据置台に載せられた紙幣を１枚ずつ搬送する枚葉供給装置と、前記枚葉供給装置から引き込まれる紙幣を搬送する多数のローラーおよび動力を発生するモーターを有する紙幣搬送装置と、前記紙幣搬送装置によって搬送される紙幣を消毒するために消毒薬貯蔵槽から消毒薬の供給を受けて紙幣に散布する噴霧装置を有する消毒装置と、前記消毒装置によって消毒された紙幣を乾燥するための乾燥装置と、前記乾燥装置を通過した紙幣に香水を散布する香水供給装置と、香水供給装置を通過した紙幣を収納する収納箱と、前記搬送装置によって搬送される過程で紙幣を感知して通過する紙幣の枚数を計数する紙幣計数装置と、前記装置を制御する制御回路と計数された数字を表示するディスプレイ部を有する制御装置と、を備える。
【００１１】
また、「計数紙幣の消毒装置」が提案されている（下記の特許文献２参照）。
【００１２】
これは、計数される紙幣を計数と同時に殺菌、消毒処理するための計数紙幣の消毒装置に関するものである。
【００１３】
すなわち、紙幣計数器と、この紙幣計数器を搭載するための外箱と、この外箱内に消毒液および芳香剤が充填された薬剤容器と、この薬剤の流出を制御する電磁弁と、流出薬剤を噴霧するノズルと、前記薬剤容器からノズルに至る連結管と、を備え、前記ノズルは連結管の端部に配設され、計数された紙幣が積層される前に消毒されるようにその位置が調節可能な可撓性連結管に結合されてなる。
【００１４】
さらに、「殺菌紙幣計数器」が提案されている（例えば、下記の特許文献３参照）。
【００１５】
これは、紙幣計数器に投入される紙幣を搬送する搬送台を有する紙幣計数器において、紙幣を殺菌するために紫外線殺菌ランプが設けられた殺菌紙幣計数器において、前記搬送台の上部および下部から１〜２ｍｍ離れた個所に紫外線ランプを設け、前記紫外線ランプはその外周に弧状の反射鏡を設けて、紙幣に対して収集的な紫外線照射が行われるように構成するが、前記紫外線ランプは、１１ワットの２つが搬送台の上部および下部にそれぞれ設けられ、前記紫外線ランプの反射鏡は紙幣が流入する側に、上部に撓んだ弧状の弧部を形成して、紙幣が流入するときに反射鏡に係止されることを防ぐ。
【先行技術文献】
【特許文献】
【００１６】
【特許文献１】大韓民国特許登録第１０−０４２３０２５号（公告日：２００４年０３月１８日）
【特許文献２】大韓民国実用新案登録第２０−０３３０８７８号（公告日：２００４年０２月１４日）
【特許文献３】大韓民国実用新案登録第２０−０４６４７４１号（公告日：２０１３年０１月２１日）
【発明の概要】
【発明が解決しようとする課題】
【００１７】
そこで、本発明は、上記の問題を解消するために案出されたものであり、その目的は、紙幣の枚数を測定する計数器の全体を紙幣を消毒する胴体の内部に固定した後に、胴体内にクラスト陰イオンを供給してクラスト陰イオンが紙幣の表面に均一に伝わって紙幣に発生する汚染源が除去される計数器収納型紙幣消毒器を提供することにある。
【課題を解決するための手段】
【００１８】
前記目的を達成するために、本発明による計数器収納型紙幣消毒器は、紙幣投入部と、紙幣枚数感知部および紙幣吐出部を有する計数器と、一方の側に開放口が形成され、内部に前記開放口に投入された前記計数器が収容されるように収容空間が形成された胴体と、前記収容空間の壁面に配設され、紙幣に向かって殺菌機能を有するクラスト陰イオンを噴射して紙幣を消毒するイオン発生器と、を備えることを特徴とする。
【００１９】
好ましくは、前記計数器収納型紙幣消毒器は、前記収容空間の底面に提供されてレールによって前後進して前記開放口を出入し、上面に計数器が載置されるトレイと、上端が前記開放口の上側の胴体に弾持力をもって回転自在に係合される巻取リールに固定されて巻き付けられ、繰り出されるときに前記開放口を遮断する扉と、前記胴体の開放口の下側の正面に配設され、前記扉を固定する扉施錠具と、をさらに備える。
【００２０】
また、好ましくは、前記イオン発生器が、前記胴体に配備されてクラスト陰イオンを生成するイオン生成部と、前記イオン生成部において生成されたクラスト陰イオンを前記収容空間に噴射するイオン噴射部と、を備え、前記胴体に配備されて複数の関節バーが互いに連結されて関節運動をしながら展開されたり折り畳まれたりする関節部と、前記関節部の先端に配備され、入口から出口に進むにつれて幅が狭くなりながら次第に広くなる拡開状を呈し、前記関節部の展開時に前記計数器の紙幣吐出部に位置する拡散噴射口と、一方の端が前記イオン生成部に連結され、他方の端が前記拡散噴射口に連結されて前記イオン生成部において生成されたクラスト陰イオンを前記拡散噴射口に伝えて紙幣を消毒するチューブと、をさらに備える。
【００２１】
また、好ましくは、前記収容空間の内壁にカメラが配備され、前記胴体の外側に前記カメラの撮影映像をリアルタイムにて表示するデジタル表示部が配備される。
【００２２】
さらに、好ましくは、前記扉が透明な素材によって製作され、表面に光触媒がコーティングされる。
【発明の効果】
【００２３】
本発明によれば、紙幣の枚数を測定する計数器の全体を紙幣を消毒する胴体の内部に固定した後に、胴体内にクラスト陰イオンを供給することにより、クラスト陰イオンが紙幣の表面に均一に伝わり、これにより、紙幣に発生する汚染源が除去される効果が得られる。
【図面の簡単な説明】
【００２４】
【図１】本発明による計数器収納型紙幣消毒器の斜視図である。
【図２】図１における紙幣消毒器に計数器が載置される過程の使用状態図である。
【図３】図１の側面図である。
【図４】図３の要部正断面図である。
【図５】図１におけるイオン発生器の動作状態を示す要部構成図である。
【図６】図１において紙幣を撮影するカメラを示す構成図である。
【図７】図１における紫外線ランプを備える状態を示す構成図である。
【発明を実施するための形態】
【００２５】
以下、本発明を添付の例示図面を参照してより詳細に説明する。本発明を説明するに当たって、既に公知の機能若しくは構成についての説明は、本発明の要旨を明瞭にするために省略する。なお、明細書の全体に亘って同じ図面符号は同じ構成要素を示す。
【００２６】
本発明は、図１から図５に示すように、紙幣の枚数を測定する計数器１００と、前記計数器１００を収容する胴体２００と、前記胴体２００に前記計数器１００が収容されるように案内するトレイ３００と、前記胴体２００内にクラスト陰イオンを供給するイオン発生器４００と、前記胴体２００の内部を選択的に遮断する扉５００と、前記扉５００を前記胴体２００に施錠する扉施錠具６００と、を備える。
【００２７】
前記計数器１００は、公知の手段であり、一方の側に枚数が測定される紙幣を投入する紙幣投入部１２０が形成され、他方の側に紙幣を排出する紙幣吐出部１４０が形成される。また、内部には公知の技術に適用されたものであり、搬送される紙幣の枚数を感知する紙幣枚数感知部が形成される。
【００２８】
前記胴体２００は、一方の側に前記計数器１００が出入する大きさの開放口が形成され、内部に前記計数器１００が収容されて置かれるように収容空間２１０が形成される。
【００２９】
前記トレイ３００は、前記計数器１００の底面を支持するように前記収容空間２１０の底面に提供されて前記底面に形成されたレール３２０によって前後進して前記開放口を出入し、上面に計数器１００が載せられる。
【００３０】
すなわち、前記収容空間２１０の底面に溝状または突起状のレール３２０が左右一対に形成され、前記トレイ３００の底面に前記レール３２０に沿って摺動するガイダー３４０が配備されて前記ガイダー３４０が前記レール３２０に沿って摺動する。
【００３１】
これにより、前記胴体２００の収容空間２１０の底面に配設されたトレイ３００を引っ張った後に計数器１００をトレイ３００に載せて収納すれば、手軽に収納が行われる。
【００３２】
前記イオン発生器４００は、前記収容空間２１０の壁面に配設され、電気的に動作するときに紙幣方向に殺菌機能を有するクラスト陰イオンを噴射する。
【００３３】
前記イオン発生器４００の構造について説明すると、前記胴体２００に配備されてクラスト陰イオンを生成するイオン生成部４２０と、前記イオン生成部４２０において生成されたクラスト陰イオンを前記収容空間２１０に噴射するイオン噴射部４４０と、を備える。
【００３４】
前記イオン噴射部４４０は、一方の端が前記胴体２００に蝶合されて回動する関節部４６０と、前記関節部４６０の先端に配備され、入口から出口に向かって幅が狭くなりながら次第に広くなる拡開状を呈し、前記関節部４６０の回動または展開の際して前記計数器１００の紙幣吐出部１４０に位置する拡散噴射口４７０と、一方の端が前記イオン生成部４２０に連結され、他方の端が前記拡散噴射口４７０に連結されて前記イオン生成部４２０において生成されたクラスト陰イオンを前記拡散噴射口４７０に伝えて紙幣を消毒するチューブと、を備える。
【００３５】
前記拡散噴射口４７０は、前記関節部４６０の端部に回転および回動自在にボールジョイントによって係合されて保管時には前記胴体２００の収容空間２１０の壁面に密着され、使用時には前記拡散噴射口４７０の噴射方向を紙幣に向かわせる。
【００３６】
前記関節部４６０は、少なくとも一つ以上の関節バーを有し、前記胴体２００の内側壁面に密着された状態で展開動作をするときに関節運動によって先端の前記拡散噴射口４７０が紙幣に近付くように構成される。
【００３７】
前記扉５００は、布地または柔軟性素材の合成樹脂によって製作され、上端が前記収容空間２１０の開放口の上側に弾持力をもって回転自在に係合される巻取リール５２０に固定されて巻き付けられ、繰り出されるときに前記収容空間２１０の開放口を遮断する。
【００３８】
前記巻取リール５２０は、公知の技術であり、固定軸に板ばねが巻き付けられ、前記板ばねの端部に扉をなすシートが連結されて板ばねの巻付力によって自動的に巻き付けられる。
【００３９】
前記扉施錠具６００は、前記胴体２００の開放口の下側の正面に配設され、前記扉５００を選択的に施錠および解除する。
【００４０】
すなわち、前記扉５００は、前記イオン発生器４００の動作時には下向きに引き出されて前記収容空間２１０を閉鎖し、紙幣を消毒した後に扉施錠具６００の施錠を解除すれば、巻取リール５２０によって自動的に巻き取られて開状態となる。
【００４１】
図６は、本発明の他の例であり、前記収容空間２１０の内壁にカメラ７００が配備されたことを示すものである。
【００４２】
すなわち、前記胴体２００の外側に前記カメラ７００の撮影映像をリアルタイムにて表示するデジタル表示部７２０が配備される。
【００４３】
図７は、本発明のさらに他の例であり、前記胴体２００の内部に紫外線ランプ８００が取り付けられたことを示すものである。
【００４４】
ここで、前記扉５００が透明な素材によって製作され、表面に光触媒５１０がコーティングされる。
【００４５】
前記紫外線ランプ８００は、反射板の内部の両側に設けられたソケットに嵌め込まれて紫外線を照射するものであり、照射された紫外線は紙幣に変化を与えずに各種の細菌などを殺菌する。前記ソケットは電気的に接続されて電源が供給される。
【００４６】
前記光触媒５１０は、固体または液体の状態で塗布されるものであり、前記紫外線ランプから照射される紫外線をエネルギー源として触媒反応を起こして紙幣に付着している各種の細菌などを殺菌する。前記光触媒５１０は、照射された紫外線との反応時に活性酸素が生成されて大腸菌、バクテリア、カビ、ウィルスなどの各種の細菌を抗菌および殺菌することはもとより、タバコのニコチン、匂いなどを分解する役割を果たす。
【００４７】
前記イオン発生器４００のイオン生成部４２０は、高周波を用いて陽イオンおよび陰イオンを発生するものであり、陽イオンおよび陰イオンは高周波発振によって空気中の湿気がイオン化されて発生され、複数の水分子が水素イオンまたは酸素イオンの周りに付着するクラスターイオンの形を有する。このようにして生成されたイオンが紙幣の表面に形成された粒子の周りに集まって化学反応を起こして殺菌作用をする。
【００４８】
以上の説明は一つの実施形態を説明したものに過ぎず、本発明は上述した実施形態に何ら限定されるものではなく、添付の特許請求の範囲内において種々に変形可能に実施することができる。例えば、本発明の実施形態に具体的に開示されている各構成要素の形状および構造は変形して実施することができる。
【符号の説明】
【００４９】
１００  計数器
１２０  紙幣投入部
１４０  紙幣吐出部
２００  胴体
２１０  収容空間
３００  トレイ
３２０  レール
３４０  ガイダー
４００  イオン発生器
４２０  イオン生成部
４４０  イオン噴射部
４６０  関節部
４７０  拡散噴射口
４８０  チューブ
５００  扉
５１０  光触媒
６００  扉施錠具
７００  カメラ
７２０  デジタル表示部
８００  紫外線ランプ
【図１】
2016002458.tif 000003
【図２】
2016002458.tif 000004
【図３】
2016002458.tif 000005
【図４】
2016002458.tif 000006
【図５】
2016002458.tif 000007
【図６】
2016002458.tif 000008
【図７】
2016002458.tif 000009